(57)【特許請求の範囲】
【請求項１】
制御チャネル処理方法であって、
ビームエリアＢＡでの受信パワーを利用して制御チャネルのアクティブビームエリアを判定し、及び、セルにおけるスケジューリングの状況に従って制御チャネルリソース割り当てを行うステップと、
前記制御チャネルのアクティブビームエリアと前記制御チャネルリソース割り当ての状況に従って制御信号の送信を行うステップとを含み、
制御チャネルのアクティブビームエリアを判定するプロセスは、
各ビームエリアでの受信パワーを取得して基准送信パワーに従って換算し、各ビームエリアでの基准送信パワー下での受信パワーに対して時間領域平滑化を行って、各ビームエリアでの平滑受信パワーと最大平滑受信パワーとの間の比例関係を判断して、ビームエリアでの平滑パワー値とすべてのビームエリアにおける最大平滑パワーの比が第一アクティブ閾値以上である場合、このビームエリアがアクティブであると判定すること、又は、
各ビームエリアでの受信パワーを取得して基准送信パワーに従って換算し、各ビームエリアでの基准送信パワー下での受信パワーに対して時間領域平滑化を行って、得られた各ビームエリアでの受信パワーの平滑値を昇順に配列して、キューの先頭に配列された平滑値が最小であることと、
各ビームエリアでの平滑受信パワーの和とキューの先頭に配列された平滑値との差を計算し、得られた差と各ビームエリアでの受信パワーの平滑値の和を除算して、アクティブ比を得て、得られたアクティブ比が予め設定された第二アクティブ閾値以上であるかどうかを判定し、アクティブ比が第二アクティブ閾値以上である場合、キューの先頭にある平滑値を削除し、得られるアクティブ比が第二アクティブ閾値より小さくなるまでアクティブ比を得る操作を繰り返して、現在のキューの先頭にある平滑値及びキューにおける残りの平滑値に対応するビームエリアがアクティブビームエリアであると判定することであることを含むことを特徴とする
前記制御チャネル処理方法。
【請求項２】
前記第一アクティブ閾値と第二アクティブ閾値がリンクシミュレーション結果により確定され、復調性能を保証する前提で選択範囲が（０，１）であることを特徴とする
請求項１に記載の方法。
【請求項３】
前記第一アクティブ閾値が０．５より小さく、前記第二アクティブ閾値が０．５より大きいことを特徴とする
請求項２に記載の方法。
【請求項４】
制御チャネルリソース割り当てを行うプロセスは、
現在のスケジューリング時点に、まずセル制御チャネルのリソースプールを初期化し、セルのビームと帯域幅に従ってセル制御チャネルのリソースプールを確定し、次にアクティブビームに従ってリソース割り当てを行って、制御信号をアクティブビームで送信することを含むことを特徴とする
請求項１〜３のいずれか１項に記載の方法。
【請求項５】
制御チャネル処理装置であって、
ビームエリアでの受信パワーを利用して制御チャネルのアクティブビームエリアを判定して、セルにおけるスケジューリングの状況に従って制御チャネルリソース割り当てを行う、及び、前記制御チャネルのアクティブビームエリアと前記制御チャネルリソース割り当ての状況に従って制御信号の送信を行うように構成され、
制御チャネルのアクティブビームエリアを判定する場合、前記装置は、
各ビームエリアでの受信パワーを取得して基准送信パワーに従って換算し、各ビームエリアでの基准送信パワー下での受信パワーに対して時間領域平滑化を行って、各ビームエリアでの平滑受信パワーと最大平滑受信パワーとの間の比例関係を判断して、ビームエリアでの平滑パワー値とすべてのビームエリアにおける最大平滑パワーの比が第一アクティブ閾値以上である場合、このビームエリアがアクティブであると判定するように構成され、又は、
各ビームエリアでの受信パワーを取得して基准送信パワーに従って換算し、各ビームエリアでの基准送信パワー下での受信パワーに対して時間領域平滑化を行って、得られた各ビームエリアでの受信パワーの平滑値を昇順に配列して、キューの先頭に配列された平滑値が最小であり、
各ビームエリアでの平滑受信パワーの和とキューの先頭に配列された平滑値との差を計算し、得られた差と各ビームエリアでの受信パワーの平滑値の和を除算して、アクティブ比を得て、得られたアクティブ比が予め設定された第二アクティブ閾値以上であるかどうかを判定し、アクティブ比が第二アクティブ閾値以上である場合、キューの先頭にある平滑値を削除し、得られるアクティブ比が第二アクティブ閾値より小さくなるまでアクティブ比を得るする操作を繰り返して、現在のキューの先頭にある平滑値及びキューにおける残りの平滑値に対応するビームエリアがアクティブビームエリアであると判定するように配置されることを特徴とする
前記制御チャネル処理装置。
【請求項６】
前記第一アクティブ閾値と第二アクティブ閾値がリンクシミュレーション結果により確定され、復調性能を保証する前提で選択範囲が（０，１）であることを特徴とする
請求項５に記載の装置。
【請求項７】
前記第一アクティブ閾値が０．５より小さく、前記第二アクティブ閾値が０．５より大きいことを特徴とする
請求項６に記載の装置。
【請求項８】
制御チャネルリソース割り当てを行う場合、
現在のスケジューリング時点に、まずセル制御チャネルのリソースプールを初期化し、セルのビームと帯域幅に従ってセル制御チャネルのリソースプールを確定して、そしてアクティブビームに従ってリソース割り当てを行って、制御信号をアクティブビームで送信するように構成されることを特徴とする
請求項５〜７のいずれか１項に記載の装置。
【請求項９】
前記装置が基地局であることを特徴とする
請求項５に記載の装置。
【発明の詳細な説明】
【技術分野】
【０００１】
本発明は、通信分野に関して、具体的に制御チャネル処理方法および装置に関する。
【背景技術】
【０００２】
第三世代（３Ｇ）移動通信システムの持続的発展に伴い、長期発展型（ＬＴＥ）が提案される
ＬＴＥシステムにおいて、複数の空間チャネルの弱い関連の特性を利用して空間分割多重を行ってシステムの容量を向上させることができるが、この方式は、基地局側のアンテナと無線チャネルとの関連程度に依存する。現在、ＬＴＥの空間分割多重がサービスチャネルのみに限定され、本発明において制御チャネル空間分割多重スキームが提案される。
【０００３】
ＬＴＥシステムにおいて動的にリソースを割り当てる時に制御チャネル（例えば、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ））を応用してアップリンクおよびウンリンクサービスチャネルリソースを割り当てる必要があるので、制御チャネルの伝送性能は、直接システム全体の性能に影響を与えるが、現在の制御チャネルの伝送性能は、理想的ではなく、ダウンリンク制御チャネルリソースが非常に制限され、そして制御チャネルのリソース位置割り当ては、３ＧＰＰ  ＴＳ  ３６．２１３プロトコルの規定に従ってユーザー装置（ＵＥ）のセル無線ネットワーク一時識別子（ｃｅｌｌ  Ｒａｄｉｏ  Ｎｅｔｗｏｒｋ  Ｔｅｍｐｏｒａｒｙ  Ｉｄｅｎｔｉｔｙ：Ｃ−ＲＮＴＩ）と制御チャネルエレメント（Ｃｏｎｔｒｏｌ  Ｃｈａｎｎｅｌ  Ｅｌｅｍｅｎｔ：ＣＣＥ）重合度により決められ、スケジューリングすべきユーザーが制御チャネル割り当て失敗のでスケジューリングできない現象が頻繁に発生してしまい、特に、アップリンクおよびウンリンクサービスチャネルが多重入出力（ＩＭＯ：Ｍｕｌｔｉｐｌｅ  Ｉｎｐｕｔ  Ｍｕｌｔｉｐｌｅ  ＯｕｔＰｕｔ）技術を採用する時に、問題が特に明らかになる。また、密集した都市エリアで、制御チャネル干渉の問題が生じる。
【発明の概要】
【発明が解決しようとする課題】
【０００４】
これに鑑み、本発明の実施形態の主な目的は、制御チャネルの干渉を削減させ、制御チャネルの性能を向上させるように、制御チャネル処理方法および装置を提供することにある。
【課題を解決するための手段】
【０００５】
上記目的を達成するために、本発明の実施形態の技術的なスキームは、以下のように実現される。
【０００６】
制御チャネル処理方法は、
ビームエリアＢＡの受信パワーを利用して制御チャネルのアクティブビームエリアを判定し、及び、セルにおけるスケジューリング状況に従って制御チャネルリソース割り当てを行うステップと、
前記制御チャネルのアクティブビームエリアと前記制御チャネルリソース割り当ての状況に従って制御信号の送信を行うステップとを含む。
【０００７】
ここで、制御チャネルのアクティブビームエリアを判定するプロセスは、
各ビームエリアでの受信パワーを取得して基准送信パワーに従って換算し、各ビームエリアでの基准送信パワー下での受信パワーに対して時間領域平滑化を行って、各ビームエリアでの平滑受信パワーと最大平滑受信パワーとの間の比例関係を判断し、ビームエリアでの平滑パワー値とすべてのビームエリアにおける最大平滑パワーの比が第一アクティブ閾値以上である場合、このビームエリアがアクティブであると判定すること、又は、
各ビームエリアでの受信パワーを取得して基准送信パワーに従って換算し、各ビームエリア基准送信パワー下での受信パワーに対して時間領域平滑化を行って、得られた各ビームエリアでの受信パワーの平滑値を昇順に配列し、キューの先頭に配列された平滑値が最小であることと、
各ビームエリアでの平滑受信パワーの和とキューの先頭に配列された平滑値との差を計算し、得られた差と各ビームエリアでの受信パワーの平滑値の和を除算して、アクティブ比を得て、得られたアクティブ比が予め設定された第二アクティブ閾値以上であるかどうかを判定し、アクティブ比が第二アクティブ閾値以上である場合、キューの先頭にある平滑値を削除し、得られるアクティブ比が第二アクティブ閾値より小さくなるまでアクティブ比を得る操作を繰り返して、現在のキューの先頭にある平滑値及びキューにおける残りの平滑値に対応するビームエリアがアクティブビームエリアであると判定することを含む。
【０００８】
ここで、前記第一アクティブ閾値と第二アクティブ閾値がリンクシミュレーション結果により確定され、復調性能を保証する前提で選択範囲が（０，１）である。
【０００９】
ここで、前記第一アクティブ閾値が０．５より小さく、前記第二アクティブ閾値が０．５より大きい。
【００１０】
ここで、制御チャネルリソース割り当てを行うプロセスは、
現在のスケジューリング時点に、まずセル制御チャネルのリソースプールを初期化し、セルのビームと帯域幅に従ってセル制御チャネルのリソースプールを確定し、次にアクティブビームに従ってリソース割り当てを行い、制御信号をアクティブビームで送信することを含む。
【００１１】
制御チャネル処理装置であって、この装置は、ビームエリアの受信パワーを利用して制御チャネルのアクティブビームエリアを判定し、セルにおけるスケジューリングの状況に従って制御チャネルリソース割り当てを行い、及び、前記制御チャネルのアクティブビームエリアと前記制御チャネルリソース割り当ての状況に従って制御信号の送信を行うように構成される。
【００１２】
ここで、前記装置は、制御チャネルのアクティブビームエリアを判定する場合、
各ビームエリアでの受信パワーを取得して基准送信パワーに従って換算し、各ビームエリア基准送信パワー下での受信パワーに対して時間領域平滑化を行って、各ビームエリアでの平滑受信パワーと最大平滑受信パワーとの間の比例関係を判断し、ビームエリアでの平滑パワー値とすべてのビームエリアにおける最大平滑パワーの比が第一アクティブ閾値以上である場合、このビームエリアがアクティブであると判定する、又は、
各ビームエリアでの受信パワーを取得して基准送信パワーに従って換算し、各ビームエリア基准送信パワー下での受信パワーに対して時間領域平滑化を行って、得られた各ビームエリアでの受信パワーの平滑値を昇順に配列し、キューの先頭に配列された平滑値が最小であり、
各ビームエリアでの平滑受信パワーの和とキューの先頭に配列された平滑値との差を計算し、得られた差と各ビームエリアでの受信パワーの平滑値の和を除算して、アクティブ比を得て、得られたアクティブ比が予め設定された第二アクティブ閾値以上であるかどうかを判定し、アクティブ比が第二アクティブ閾値以上である場合、キューの先頭にある平滑値を削除し、得られるアクティブ比が第二アクティブ閾値より小さくなるまでアクティブ比を得る操作を繰り返して、現在のキューの先頭にある平滑値及びキューにおける残りの平滑値に対応するビームエリアがアクティブビームエリアであると判定するように構成される。
【００１３】
ここで、前記第一アクティブ閾値と第二アクティブ閾値がリンクシミュレーション結果により確定され、復調性能を保証する前提で選択範囲が（０，１）である。
【００１４】
ここで、前記第一アクティブ閾値が０．５より小さく、前記第二アクティブ閾値が０．５より大きい。
【００１５】
ここで、前記装置は、制御チャネルリソース割り当てを行う場合、
現在のスケジューリング時点に、まずセル制御チャネルのリソースプールを初期化し、セルのビームと帯域幅に従ってセル制御チャネルのリソースプールを確定し、次にアクティブビームに従ってリソース割り当てを行い、制御信号をアクティブビームで送信するように構成される。
【００１６】
ここで、前記装置は、基地局である。
本明細書は、例えば、以下の項目も提供する。
（項目１）
制御チャネル処理方法であって、
ビームエリアＢＡでの受信パワーを利用して制御チャネルのアクティブビームエリアを判定し、及び、セルにおけるスケジューリングの状況に従って制御チャネルリソース割り当てを行うステップと、
前記制御チャネルのアクティブビームエリアと前記制御チャネルリソース割り当ての状況に従って制御信号の送信を行うステップとを含むことを特徴とする方法。
（項目２）
制御チャネルのアクティブビームエリアを判定するプロセスは、
各ビームエリアでの受信パワーを取得して基准送信パワーに従って換算し、各ビームエリアでの基准送信パワー下での受信パワーに対して時間領域平滑化を行って、各ビームエリアでの平滑受信パワーと最大平滑受信パワーとの間の比例関係を判断して、ビームエリアでの平滑パワー値とすべてのビームエリアにおける最大平滑パワーの比が第一アクティブ閾値以上である場合、このビームエリアがアクティブであると判定すること、又は、
各ビームエリアでの受信パワーを取得して基准送信パワーに従って換算し、各ビームエリアでの基准送信パワー下での受信パワーに対して時間領域平滑化を行って、得られた各ビームエリアでの受信パワーの平滑値を昇順に配列して、キューの先頭に配列された平滑値が最小であることと、
各ビームエリアでの平滑受信パワーの和とキューの先頭に配列された平滑値との差を計算し、得られた差と各ビームエリアでの受信パワーの平滑値の和を除算して、アクティブ比を得て、得られたアクティブ比が予め設定された第二アクティブ閾値以上であるかどうかを判定し、アクティブ比が第二アクティブ閾値以上である場合、キューの先頭にある平滑値を削除し、得られるアクティブ比が第二アクティブ閾値より小さくなるまでアクティブ比を得る操作を繰り返して、現在のキューの先頭にある平滑値及びキューにおける残りの平滑値に対応するビームエリアがアクティブビームエリアであると判定することであることを含むことを特徴とする
項目１に記載の方法。
（項目３）
前記第一アクティブ閾値と第二アクティブ閾値がリンクシミュレーション結果により確定され、復調性能を保証する前提で選択範囲が（０，１）であることを特徴とする
項目２に記載の方法。
（項目４）
前記第一アクティブ閾値が０．５より小さく、前記第二アクティブ閾値が０．５より大きいことを特徴とする
項目３に記載の方法。
（項目５）
制御チャネルリソース割り当てを行うプロセスは、
現在のスケジューリング時点に、まずセル制御チャネルのリソースプールを初期化し、セルのビームと帯域幅に従ってセル制御チャネルのリソースプールを確定し、次にアクティブビームに従ってリソース割り当てを行って、制御信号をアクティブビームで送信することを含むことを特徴とする
項目１〜４のいずれか１項に記載の方法。
（項目６）
制御チャネル処理装置であって、
ビームエリアでの受信パワーを利用して制御チャネルのアクティブビームエリアを判定して、セルにおけるスケジューリングの状況に従って制御チャネルリソース割り当てを行う、及び、前記制御チャネルのアクティブビームエリアと前記制御チャネルリソース割り当ての状況に従って制御信号の送信を行うように構成されることを特徴とする装置。
（項目７）
制御チャネルのアクティブビームエリアを判定する場合、前記装置は、
各ビームエリアでの受信パワーを取得して基准送信パワーに従って換算し、各ビームエリアでの基准送信パワー下での受信パワーに対して時間領域平滑化を行って、各ビームエリアでの平滑受信パワーと最大平滑受信パワーとの間の比例関係を判断して、ビームエリアでの平滑パワー値とすべてのビームエリアにおける最大平滑パワーの比が第一アクティブ閾値以上である場合、このビームエリアがアクティブであると判定するように構成され、又は、
各ビームエリアでの受信パワーを取得して基准送信パワーに従って換算し、各ビームエリアでの基准送信パワー下での受信パワーに対して時間領域平滑化を行って、得られた各ビームエリアでの受信パワーの平滑値を昇順に配列して、キューの先頭に配列された平滑値が最小であり、
各ビームエリアでの平滑受信パワーの和とキューの先頭に配列された平滑値との差を計算し、得られた差と各ビームエリアでの受信パワーの平滑値の和を除算して、アクティブ比を得て、得られたアクティブ比が予め設定された第二アクティブ閾値以上であるかどうかを判定し、アクティブ比が第二アクティブ閾値以上である場合、キューの先頭にある平滑値を削除し、得られるアクティブ比が第二アクティブ閾値より小さくなるまでアクティブ比を得るする操作を繰り返して、現在のキューの先頭にある平滑値及びキューにおける残りの平滑値に対応するビームエリアがアクティブビームエリアであると判定するように配置されることを特徴とする
項目６に記載の装置。
（項目８）
前記第一アクティブ閾値と第二アクティブ閾値がリンクシミュレーション結果により確定され、復調性能を保証する前提で選択範囲が（０，１）であることを特徴とする
項目７に記載の装置。
（項目９）
前記第一アクティブ閾値が０．５より小さく、前記第二アクティブ閾値が０．５より大きいことを特徴とする
項目８に記載の装置。
（項目１０）
制御チャネルリソース割り当てを行う場合、  
現在のスケジューリング時点に、まずセル制御チャネルのリソースプールを初期化し、セルのビームと帯域幅に従ってセル制御チャネルのリソースプールを確定して、そしてアクティブビームに従ってリソース割り当てを行って、制御信号をアクティブビームで送信するように構成されることを特徴とする
項目６〜９のいずれか１項に記載の装置。
（項目１１）
前記装置が基地局であることを特徴とする
項目６に記載の装置。
【００１７】
本発明の実施形態に係る制御チャネルを処理する技術は、ＡＡＳを採用してＬＴＥシステムで制御チャネルのリソース割り当てを実現し、システムの正常な稼働を保証する前提で、同時にサービスチャネル空間分割多重の確率を向上でき、且つ効果的に制御チャネルの干渉を削減でき、制御チャネルの性能を向上させる。
【図面の簡単な説明】
【００１８】
【図１】アクティブアンテナシステム（Ａｃｔｉｖｅ  Ａｎｔｅｎｎａ  Ｓｙｓｔｅｍ：ＡＡＳ）の原理模式図である；
【図２】本発明の実施形態におけるＡＡＳによるＬＴＥシステム制御チャネル処理のフローチャートである
【図３】本発明の実施形態に係る制御チャネル処理プロセスの概略図である。
【発明を実施するための形態】
【００１９】
ＡＡＳは、新製品であって、ラジオリモートユニット（ＲＲＵ：ｒａｄｉｏ  ｒｅｍｏｔｅ  ｕｎｉｔ）とアンテナの統合だけではなく、もっと重要に元のアンテナ給電ネットワークをアクティブにして、ビームの柔軟な制御を実現する。図１に示すように、ＡＡＳがアップリンクおよびウンリンクの独立傾斜角度、動的ビームフォーミング、キャリア／システム間の独立傾斜角度によりマルチビームを形成することができ、このようなマルチビーム技術が従来の単一セルを複数のビームエリアに分割するので、複数のビームエリアの間の空間関連度が大きく弱くなる。
【００２０】
実際の応用において、ＬＴＥシステムにＡＡＳを採用して、制御チャネルのアクティブビームに従って制御信号の送信を行って、セルの間の制御チャネルの干渉を削減させて、システム性能をさらに向上させることができる。これは、ＡＳＳマルチビームエリアカバー技術がセル内部のエリアと隣接セルの間に対する干渉がより小さいため、有効な制御チャネル送信方式を採用する場合に、セルの間の制御チャネルの干渉を削減させて、さらにシステム容量を向上させることができる。
【００２１】
ＡＡＳに基づいてＬＴＥシステムにおける制御チャネルを処理する場合、以下のステップを実行することができる。
【００２２】
ステップ１、各ビームエリアの受信パワーを利用して制御チャネルのアクティブビームエリアを判定する。
【００２３】
ステップ２、セルにおけるスケジューリング状況に従って制御チャネルリソース割り当てを行って、即ち、スケジューリングを完了した後で制御チャネルリソース割り当てを行う。例えば、従来のセルは、Ｍ個の制御チャネルエレメント（ＣＣＥ：Ｃｏｎｔｒｏｌ  Ｃｈａｎｎｅｌ  Ｅｌｅｍｅｎｔ）を含むが、ＡＡＳ技術により単一のセルがＮ個のビームエリアに区画されると、ＡＡＳにおける制御チャネルリソースは、Ｍ＊Ｎ個のＣＣＥを含む。
【００２４】
ステップ３、制御チャネルのアクティブビームエリアとステップ２における制御チャネルリソース割り当て状況に従って制御信号の送信を行う。こうすると、制御チャネルは、すべてのビームエリアで送信を行わなく、アクティブビームエリアのみで送信するので、効果的に隣接セルに対する干渉を削減でき、それによって隣接セル制御チャネルの信号対干渉比（ＳＩＮＲ：ｓｉｇｎａｌ−ｔｏ−ｉｎｔｅｒｆｅｒｅｎｃｅ−ｐｌｕｓｎｏｉｓｅ  ｒａｔｉｏ）を向上させ、且つ制御チャネルの伝送成功を保証する前提でＣＣＥ重合度を低下させる。また、同じ制御チャネルリソースの状況でより多い利用可能なリソースがスケジューリングに用いられることが可能となる。
【００２５】
制御チャネル伝送方式に従って設定を行って、制御チャネルの性能が影響を受けないことを保証する前提で、できる限り制御チャネルのアクティブビームを削減して、隣接セルに対する干渉を削減すると説明すべきである。
【００２６】
以下、図２を参照して本発明の実施形態を詳細に説明する。
【００２７】
ＡＡＳを採用してＬＴＥシステムにおける制御チャネルを処理する場合、制御チャネルのアクティブビーム判断、及び制御チャネルリソース割り当てを行うことができる。
【００２８】
具体的には、制御チャネルのアクティブビーム判断を行う場合、以下に示される二つの方法を応用することができる。
【００２９】
方法１
ステップ１．１、各ビームエリア（Ｂｅａｍ  Ａｒｅａ：ＢＡ）での受信パワーを取得して、セル全体がＮ個のビームエリアに分割されることを仮定すると、各ＢＡで測定して得られた受信パワーがＰ＝｛Ｐ１，Ｐ２，……ＰＮ｝である。
【００３０】
ステップ１．２、各ＢＡでの受信パワーを基准送信パワーに従って換算し、異なる時点の間の平滑処理を容易にして、ここで受信パワーがＰｒｅａｌであって、計測時点の送信パワーがＰＳＤｒｅａｌであって、基准送信パワーがＰＳＤｔａｒｇｅｔであると仮定すると、基准送信パワー下での受信パワーＰＳＤｔａｒｇｅｔが次の通りである。
【００３１】
【数１】
0005990331.tif 000002
【００３２】
その後で、各ＢＡでの換算された受信パワー
【００３３】
【化１】
0005990331.tif 000003
【００３４】
を得る。
【００３５】
ステップ１．３、各ＢＡでの基准送信パワー下での受信パワーに対して時間領域平滑化を行って、基准送信パワー下での履歴平滑値が
【００３６】
【化２】
0005990331.tif 000004
【００３７】
であって、平滑係数がαであって、範囲が（０，１）であることを仮定すると、平滑の式が次の通りである。
【００３８】
【数２】
0005990331.tif 000005
【００３９】
式（２）に従って各ＢＡの基准送信パワー下での受信パワーに対して平滑処理を行って、平滑受信パワー
【００４０】
【化３】
0005990331.tif 000006
【００４１】
を得る。
【００４２】
ステップ１．４、各ＢＡでの平滑受信パワーと最大平滑受信パワーとの間の比例関係を判断して、あるＢＡでの平滑パワー値とすべてのＢＡにおける最大平滑パワーの比が閾値Ｔｈｒ４ＢＡ１以上であると、このＢＡがアクティブであり、そうではなければ、このＢＡが非アクティブであると判定して、例えば、
まず、最大平滑受信パワー
【００４３】
【化４】
0005990331.tif 000007
【００４４】
を計算し、次に式（３）に従って各ＢＡの平滑パワー
【００４５】
【化５】
0005990331.tif 000008
【００４６】
との比を計算して、
【００４７】
【数３】
0005990331.tif 000009
【００４８】
最後に、Ｐｒｏ＿ｉが閾値Ｔｈｒ４ＢＡ１以上であるかを判断して、閾値Ｔｈｒ４ＢＡ１以上であると、ＢＡでアクティブにすると判定する。ここで、アクティブ閾値Ｔｈｒ４ＢＡ１の確定はリンクシミュレーション結果に依存して、復調性能を保証する前提で範囲（０，１）におけるより大きな値を選択して、閾値の設定が０．５より小さいことを推薦する。方法１の趣旨は、各アクティブビームエリアの平滑受信パワーが必ず最大平滑受信パワーのＴｈｒ４ＢＡ１以上であって、こうすると、アクティブビームエリア内のユーザーの受信パワーがより大きいことを保証でき、受信パワーがより小さいユーザーのビームエリアをアクティブビームエリアとして確定することを避けることである。
【００４９】
方法２
方法２は、四つのステップに分けられることもでき、その中、ステップ２．１〜ステップ２．３がそれぞれ方法１におけるステップ１．１〜ステップ１．３と同じである。
【００５０】
ステップ２．４、各ＢＡでの平滑受信パワーを線形重ね合わせて、
【００５１】
【化６】
0005990331.tif 000010
【００５２】
を得て、そして各ＢＡでの平滑受信パワーを昇順に配列して、下記の方法に従って選択する。
【００５３】
ステップ２．４．１、まずすべてのビームがいずれもアクティブビームであって、即ち、すべてのビームがアクティブ集合に含まれることをデフォルトにする。
【００５４】
ステップ２．４．２、平滑受信パワーに従って各ビームを昇順にループして、ビームｉを選択することを仮定すると、式（４）に従ってＲ＿Ｐｒｏを計算する。
【００５５】
【数４】
0005990331.tif 000011
【００５６】
ステップ２．４．３、この時に、Ｒ＿Ｐｒｏが閾値Ｔｈｒ４ＢＡ２以上であると、ビームｉをアクティブ集合から除去して、そしてステップ２．４．２に戻り、次のビームを選択して、それ以外の場合、この時にＲ＿Ｐｒｏが閾値Ｔｈｒ４ＢＡ２より小さいと、アクティブビーム判断が終了し、この時にアクティブ集合におけるビームエリアがアクティブビームエリアである。前記アクティブ集合がアクティブビームエリアの集合である。
【００５７】
Ｔｈｒ４ＢＡ２の範囲は（０，１）であって、Ｔｈｒ４ＢＡ２のデフォルト配置が０．５より大きいと推薦して、具体的な値は、リンクシミュレーション結果に依存して、異なる変調方式に対して異なる閾値を採用する可能性がある。方法２は、アクティブビームエリア内のユーザーの受信パワーがより大きいことことを保証し、受信パワーがより小さいビームエリアをアクティブビームエリアとして確定することを避けることができる。
【００５８】
明らかに、方法２は、それぞれ得られた各ビームエリアの受信パワーの平滑値を昇順に配列して、キューの先頭に配列された平滑値が最小であり、
次に各ビームエリアでの受信パワーの平滑値の和とキューの先頭に配列された平滑値との差を計算し、得られた差と各ビームエリアでの受信パワーの平滑値の和を除算して、アクティブ比を得て、
最後で、得られたアクティブ比が予め設定されたアクティブ閾値以上であるかを判断して、アクティブ比がアクティブ閾値以上である場合、キューの先頭にある平滑値を削除し、取得されるアクティブ比がアクティブ閾値より小さくなるまでアクティブ比の取得ステップを繰り返して、現在のキューの先頭にある平滑値及びキューにおける残りの平滑値に対応するビームエリアがアクティブビームエリアであると判定することである。
【００５９】
実際に、制御チャネルの伝送特性に従って閾値Ｔｈｒ４ＢＡ１とＴｈｒ４ＢＡ２を確定することができ、ＬＴＥシステムにおいて制御チャネルに対してＱＰＳＫ（Ｑｕａｄｒａｔｕｒｅ  Ｐｈａｓｅ  Ｓｈｉｆｔ  Ｋｅｙｉｎｇ）変調方式を採用できる。
【００６０】
制御チャネルのリソース割り当てを行う場合、制御チャネルのアクティブビームエリアに従ってリソース割り当てを行うことができる。例えば、現在のスケジューリング時点に、まずセル制御チャネルのリソースプールを初期化して、セルのビームと帯域幅に従ってセル制御チャネルのリソースプールを確定して、そしてアクティブビーム等の情報に従ってリソース割り当てを行う。そして、割り当てられたリソースを占有にマーキングし、具体的なリソース割り当て方法について以下の例を参照する。
【００６１】
単一のセルをＪ個のビームエリアに分割し、システム帯域がＫ個のリソースユニット（ＲＥ：ｒｅｓｏｕｒｃｅ  ｕｎｉｔ）の制御チャネルリソースに対応して、各ビームに対してＫ個ＲＥのリソースプールを生成すると仮定すると、セルのリソースプールがＮ＊Ｍであり、形式は次の通りである。
【００６２】
【化７】
0005990331.tif 000012
【００６３】
ユーザー制御チャネルのアクティブビームエリアに従ってユーザー制御のリソース割り当てを行うことができ、制御チャネルのアクティブビームがビーム１とビーム２であると仮定すると、リソース割り当ての場合、ビーム１とビーム２のリソースビットマップを取得する必要があって、ビーム１とビーム２のリソースビットマップの占用識別子に基づいて共通アイドルリソースを確定して、そしてビーム１とビーム２のリソースビットマップで識別して制御信号の送信を行って、即ち、制御チャネルがアクティブビームで送信を行う。
【００６４】
制御チャネルの非アクティブビームが隣接セルの制御チャネルに干渉するので、制御チャネルに対して前記リソース割り当てと送信方式を採用して、効果的に制御チャネルの干渉を削減でき、同時に制御チャネルの占用可能のリソース数を増加させ、制御チャネルの性能を向上させ、アップリンクおよびウンリンクサービスチャネルのスケジューリング成功を保証する。
【００６５】
以上の説明に繋がって分かるように、本発明の実施形態における制御チャネルを処理する操作は、図３に示すプロセスに表されることができ、このプロセスは、以下のステップを含む。
【００６６】
ステップ３１０、ビームエリアの受信パワーを利用して制御チャネルのアクティブビームエリアを判定し、及び、セルにおけるスケジューリングの状況に従って制御チャネルリソース割り当てを行う。
【００６７】
ステップ３２０、前記制御チャネルのアクティブビームエリアと前記制御チャネルリソース割り当ての状況に従って制御信号の送信を行う。
【００６８】
上記の制御チャネル処理を行える装置が基地局、無線ネットワーク制御器（ＲＮＣ：Ｒａｄｉｏ  ｎｅｔｗｏｒｋ  ｃｏｎｔｒｏｌｌｅｒ）等の通信リソースを管理できる装置であってもよいと説明すべきである。
【００６９】
上述したように、方法も装置も、本発明の実施形態に係る制御チャネルを処理する技術がＡＡＳを採用してＬＴＥシステムで制御チャネルのリソース割り当てを実現して、システムの正常な稼働を保証する前提で、同時にサービスチャネル空間分割多重の確率を向上でき、且つ効果的に制御チャネルの干渉を削減でき、制御チャネルの性能を向上させる。
上記は、本発明の最適的な実施形態に過ぎなく、本発明の保護範囲を制限することに用いられるものではない。
【図１】
0005990331.tif 000013
【図２】
0005990331.tif 000014
【図３】
0005990331.tif 000015